(57)【要約】【課題】機械的軸受なしに動作可能でコンパクト且つ効率的なファンを提案すること。【解決手段】流体流を生成するための回転子２と、回転子２を軸方向Ａの周りで回転させるための電磁回転駆動部を回転子２と共に形成する固定子３とを有するファンが提供される。回転駆動部は外部回転子として設計され、回転子２は、環状の態様で設計された磁気的有効コア２２と、流体流を生成するための複数の羽根２４が配置されるハブ２３を有するインペラ２１とを有し、固定子３は、回転子２を接触なしに磁気的に駆動させること及び回転子２を接触なしに固定子３に対して磁気的に浮上させることを可能とする駆動軸受固定子として設計され、回転子２は、軸方向Ａに垂直な半径方向平面内に能動的に磁気的に浮上され、インペラ２１のハブ２３が回転子２の磁気的有効コア２２を全面的に包囲し、固定子３が、低透磁性材料で作られた固定子ハウジング４内に封入される。【選択図】図３
2020204323.tif 000002
【特許請求の範囲】
【請求項１】
流体流を生成するための回転子（２）と、前記回転子（２）を軸方向（Ａ）の周りで回転させるための電磁回転駆動部を前記回転子（２）と共に形成する固定子（３）とを有するファンであって、
前記回転駆動部が、外部回転子として設計され、前記回転子（２）が、環状の態様で設計された磁気的有効コア（２２）と、前記流体流を生成するための複数の羽根（２４）が配置されたハブ（２３）を有するインペラ（２１）とを有し、前記固定子（３）が、前記回転子（２）を無接触で磁気的に駆動すること及び前記回転子（２）を無接触で前記固定子（３）に対して磁気的に浮上させることを可能とする駆動軸受固定子として設計され、また前記回転子（２）が、前記軸方向（Ａ）に垂直な半径方向平面内に能動的に磁気的に浮上される、ファンにおいて、
前記インペラ（２１）の前記ハブ（２３）が、前記回転子（２）の前記磁気的有効コア（２２）を完全に包囲していること、及び前記固定子（３）が、低透磁性材料で作られた固定子ハウジング（４）内に封入されていることを特徴とする、ファン。
【請求項２】
前記インペラ（２１）が、第１のプラスチックからなり、前記固定子ハウジング（４）が、第２のプラスチックからなる、請求項１に記載のファン。
【請求項３】
吸込み側（６１）及び加圧側（６２）を有する実質的に管状のハウジング（６）を有し、前記回転子（２）及び前記固定子ハウジング（４）が、前記ハウジング（６）内に配置され、前記固定子ハウジング（４）が、複数の支柱（７）によって前記ハウジング（６）内に固定されている、請求項１又は２に記載のファン。
【請求項４】
前記固定子ハウジング（４）が、第１のハウジング部分（４１）及び第２のハウジング部分（４２）を有し、前記第１のハウジング部分（４１）が、前記回転子（２）内に配置され且つ前記回転子（２）の前記磁気コア（２２）によって取り囲まれており、前記第２のハウジング部分（４２）が、少なくとも前記回転子（２）の前記磁気的有効コア（２２）の外径（ＤＭ）と同じ大きさの外径（Ｄ２）を有する、請求項１から３までのいずれか一項に記載のファン。
【請求項５】
前記ファン（１）を制御又は調整するための検査デバイス（５）を有し、前記検査デバイス（５）が、前記固定子ハウジング（４）の前記第２のハウジング部分（４２）内に配置される、請求項４に記載のファン。
【請求項６】
前記流体流の圧力又は流量を判定することを可能とするセンサ（９）が設けられ、前記センサ（９）が、前記検査デバイス（５）に信号接続され、前記検査デバイス（５）が、前記圧力又は前記流量を調整又は制御するように設計されている、請求項５に記載のファン。
【請求項７】
前記固定子（３）が、半径方向にそれぞれ延びる複数のコイル・コア（３１）を有し、各コイル・コア（３１）が、電磁回転場を生成するための集中巻線（３３）を担持している、請求項１から６までのいずれか一項に記載のファン。
【請求項８】
前記回転子（２）の前記磁気的有効コア（２２）が、環状のリフラックス（２２２）及び複数の永久磁石（２２１）を有し、前記リフラックス（２２２）が、連続的に設計され、且つ軟磁性材料で作られており、各永久磁石（２２１）が、鎌形状の断面を有するように設計され、且つ前記リフラックス（２２２）の半径方向内側側面に嵌め込まれている、請求項１から７までのいずれか一項に記載のファン。
【請求項９】
熱を散逸させるための熱伝導要素（８）が、前記固定子ハウジング（４）内に設けられ、前記熱伝導要素（８）が、少なくとも前記検査デバイス（５）を取り囲むように設計されている、請求項４から８までのいずれか一項に記載のファン。
【請求項１０】
前記回転子（２）が、傾きに対する前記回転子（２）の流体力学的安定化のために設計されている、請求項１から９までのいずれか一項に記載のファン。
【請求項１１】
前記インペラ（２１）の前記ハブ（２３）が、吸込み側端部及び加圧側端部を有し、前記回転子の前記磁気的有効コア（２２）が、前記軸方向に関して前記ハブ（２３）の前記吸込み側端部よりも前記加圧側端部の近くに配置される、請求項１から１０までのいずれか一項に記載のファン。
【請求項１２】
前記インペラ（２１）の前記ハブ（２３）が、その吸込み側端部に入口領域（２３１）を有し、前記入口領域（２３１）において、前記ハブ（２３）が、前記吸込み側端部の方向に細くなるように設計されている、請求項１１に記載のファン。
【請求項１３】
各羽根（２４）が前縁（２４１）を有し、各前縁（２４１）が、前記軸方向（Ａ）に垂直に延びている、請求項１から１２までのいずれか一項に記載のファン。
【請求項１４】
各羽根（２４）が後縁（２４２）を有し、各後縁（２４２）が、前記軸方向（Ａ）に対して９０°とは異なる角度で前記ハブに通じている、請求項１から１３までのいずれか一項に記載のファン。
【請求項１５】
各羽根（２４）が後縁（２４２）を有し、少なくとも１つの安定化リング（２４３）が前記後縁（２４２）に設けられ、前記安定化リング（２４３）が前記回転子（２）と同軸に配置されている、請求項１から１４までのいずれか一項に記載のファン。
【発明の詳細な説明】
【技術分野】
【０００１】
本発明は、独立特許請求項の前提部分に記載の、流体流を生成するための回転子を有するファンに関する。
【背景技術】
【０００２】
ファンは、様々な装置を冷却するためによく使用され、或いは、様々な建物、システム又はデバイスの換気のためにも使用される。通常、ファンの役割は、流体流を、また特に空気流を生成することであり、流体流は、例えば熱伝達媒体として、特定の場所から熱を取り出すこと、又は熱を供給することもできる。流体流又は空気流はまた、不要なガス集積を除去するために、又は不要なガス集積をフレッシュエアと置き換えるために使用され得る。ファンの使用の実例は、例えばコンピュータにおける電子回路又は電源の冷却である。ファンはまた、所望の流れを生成するため又は圧力レベルを維持するために、管又は配管系に組み入れられ得る。特にそのような適用例では、ファンがコンパクトな設計を有することが、当然のことながら望ましい。それでもなお、そのようなファンは高性能を提供するべきであり、そのことが、ファンがしばしば極度の高回転速度で動作される理由である。
【０００３】
多くの適用例では、埃っぽい環境又は汚染された環境でファンが動作される場合もある。特に回転子軸受上の埃又は汚れの堆積物は、過度の摩耗、及び短い耐用期間を招く可能性がある。また、特にこの問題に対処するために、接触なしで、即ち、特に機械的な軸受を伴わずに回転子が支持されるファンが知られている。例えばそのようなファンの場合、回転子は、磁力又は電磁力によって支持され、そのために、通常は少なくとも１つの磁気軸受が設けられる。磁気軸受の場合、受動的な磁気軸受と能動的な磁気軸受とが基本的に区別される。受動的な磁気軸受又は安定装置は、制御又は調整され得ない。これは、通常、磁気抵抗力に基づく。したがって、受動的な磁気軸受又は安定装置は、外部からのエネルギー供給なしで動作する。能動的な磁気軸受は、制御され得る軸受である。能動的な磁気軸受の場合、支持されるべき本体の位置は、例えば電磁場を与えることにより、能動的に影響又は調整され得る。例えば、非接触式の磁気的に支持される回転子を含むファンが、欧州特許第２０６４４５０Ｂ号明細書から知られている。この明細書では、少なくとも１つの受動的な半径方向磁気軸受と、能動的な即ち調整可能な軸方向磁気軸受システムとを有するファンが提案されている。
【０００４】
他方では、機械的な軸受を有さないファンは、機械的な軸受で起こり得るような摩滅の危険性がないので、高純度のガスを搬送するのに特に適している。そのような高純度のガスは、例えばレーザ技術で使用される。
【０００５】
ファンにおける回転子の磁気軸受がその価値を証明したとしても、特に高性能を維持するのと同時にファンの設計を可能な限りコンパクトにすることに関して、又はファンの摩耗及び耐用期間に関して、依然として改善の余地がある。具体的には、半導体産業に見られるような化学的に攻撃的な環境では、ファンは、例えば管系において、フォトレジスト、又は半導体生産においてエッチング・ガスとして使用される六フッ化硫黄（ＳＦ６：ｓｕｌｆｕｒ  ｈｅｘａｆｌｕｏｒｉｄｅ）などの、固体粒子又は液体の微細小滴を含む腐食性のある蒸気又はガスや、粒子含有空気流などのような攻撃的な物質にさらされる。そのようなより攻撃的な環境は、ファンの摩耗の増大、又はファンの十分でない短い耐用期間をもたらすことが多い。本発明は、これらの問題に取り組むものである。
【先行技術文献】
【特許文献】
【０００６】
【特許文献１】欧州特許第２０６４４５０Ｂ号明細書
【発明の概要】
【発明が解決しようとする課題】
【０００７】
したがって、本発明の目的は、回転子のための機械的な軸受を伴わずに動作可能であり且つより攻撃的な環境条件での使用にも適している、非常にコンパクトであると同時に効率的であるファンを提案することである。
【０００８】
この問題に対処する本発明の目的は、独立特許請求項の構成によって特徴付けられる。
【課題を解決するための手段】
【０００９】
したがって、本発明によれば、空気流を生成するための回転子と、回転子を軸方向の周りで回転させるための電磁回転駆動部を回転子と一緒に形成する固定子と、を有するファンであって、回転駆動部が、外部回転子として設計され、回転子が、環状の態様で設計された磁気的有効コアと、空気流を生成するための複数の羽根（ｂｌａｄｅ）が配置されたハブを有するインペラと、を有し、固定子が、回転子を接触なしで磁気的に駆動させることを可能としまた回転子を固定子に対する接触なしで磁気的に浮上させることを可能とする駆動軸受固定子（ｂｅａｒｉｎｇ  ａｎｄ  ｄｒｉｖｅ  ｓｔａｔｏｒ）として設計され、回転子が、軸方向に垂直な半径方向平面において能動的に磁気的に浮上され、インペラのハブが、回転子の磁気的有効コアを全面的に包囲し、固定子が、低透磁性材料で作られた固定子ハウジング内に封入される、ファンが提案される。
【００１０】
流体流は、空気流であることが好ましい。
【００１１】
ファンの非常にコンパクトな設計を可能にするために、ファンの電磁回転駆動部は、無軸受モータの原理に従って設計される。今のところ、無軸受モータは、その機能に関する詳細な説明はもはや不要なほどに、当業者には十分に知られている。固定子は、回転子を動作状態において軸方向に接触なしで磁気的に駆動させる−即ち回転させる−ことを可能としまた回転子を固定子に対する接触なしで磁気的に浮上させることを可能とする駆動軸受固定子として設計される。軸方向は、回転子の望ましい回転軸によって決定される。
【００１２】
無軸受モータという用語は、回転子が接触なしで磁気的に浮上され、別個の磁気軸受が設けられないという事実を意味する。固定子は、電気駆動部の固定子でもあり、磁気軸受の固定子でもある。固定子は、磁気回転場（ｍａｇｎｅｔｉｃ  ｒｏｔａｒｙ  ｆｉｅｌｄ）を生成させることを可能とする巻線を有し、この磁気回転場は、一方では、回転子の回転をもたらすトルクを回転子に与え、また他方では、回転子の半径方向位置−即ち、半径方向平面における回転子の位置−が能動的に制御又は調整され得るように、自由に調節可能な横方向力を回転子に与える。したがって、回転子の少なくとも３つの自由度が、能動的に調整され得る。軸方向における回転子の偏りに関しては、回転子は、磁気抵抗力によって受動的に磁気的に安定化され、即ち、それは制御不能である。回転子はまた、残りの２つの自由度、つまり、軸方向に垂直な半径方向平面に対する傾きに関して、受動的に磁気的に安定化される。
【００１３】
駆動軸受固定子においては軸受ユニットと駆動ユニットとが区別され得ないということが、無軸受モータの原理の本質的側面である。例えば、当技術分野の現況からは、駆動部の固定子と磁気軸受の固定子とが組み合わせられて構造ユニットを形成する、電磁駆動・軸受デバイスが知られている。固定子は、１つ又は複数の軸受ユニット、及び、駆動ユニットを有し、駆動ユニットは、例えば２つの軸受ユニットの間に配置され得る。したがって、そのようなデバイスは、もっぱら磁気軸受として機能する、駆動ユニットから分離され得る軸受ユニットを示す。しかし、そのようなデバイスは、駆動機能とは別に回転子の軸支持を実現する別個の軸受ユニットを実際には有するので、本出願の意味での無軸受モータとして理解されるべきではない。本出願の意味での無軸受モータの場合、固定子を軸受ユニットと駆動ユニットとに分けることはできない。それがまさに、無軸受モータにその名前を与える特性である。
【００１４】
本発明のさらなる本質的側面は、回転子の磁気的有効コア及び固定子の両方が、全面的にまた好ましくは密閉的に包囲されることである。このようにして、回転子の磁気的有効コア、及び固定子は、また特に例えば固定子上の巻線又は固定子のコイル・コアは、特に、ファンが例えば腐食性のガス、蒸気、又は他の腐食性若しくは酸性の流体と接触することになる化学的に攻撃的な環境においても、確実に保護される。回転子の磁気的有効コア、及び固定子はまた、スラリーなどの摩耗性流体に対して確実に保護される。磁気的有効コア、及び固定子を全面的に包囲することにより、ファンは、たとえ攻撃的な環境においても、少なくとも、摩耗が著しく減少され、また、相当に長い耐用期間を有する。
【００１５】
回転子の磁気的有効コアは、インペラのハブ内で全面的に包囲され、したがって、インペラのハブは、回転子の被覆を形成する。固定子は、低透磁性材料、即ち低い透磁率（磁気伝導率）のみを有する材料で作られた固定子ハウジング内に封入される。この低透磁性材料は、例えば、プラスチックであり得る。本出願の枠内では、低透磁性材料は、慣例の通りに、その透磁性数（比透磁率）が１（真空の透磁性数）からわずかにしか又は少しも逸脱しない材料であると理解される。いかなる場合においても、低透磁性材料は、１．１未満の透磁性数を有する。
【００１６】
回転子の磁気コア及び固定子の全面的な被覆に起因して、回転子の磁気的有効コアを封入するハブ、及び固定子ハウジングの壁は、どちらも回転子と固定子との間の磁気空隙内に配置されなければならない。これは、半径方向に関して、回転子及び固定子の磁気的に相互作用する部品間に大きな間隔を必要とするものであり、即ち、回転子及び固定子の磁気回路における磁気空隙は、大きい。意外にも、この大きな磁気空隙にもかかわらず、固定子に対する回転子の確実且つ安定した軸支持が可能である。
【００１７】
インペラが第１のプラスチックから作られ、固定子ハウジングが第２のプラスチックから作られることが、好ましい。第１及び第２のプラスチックは、同じプラスチックであってもよく、又は、第１及び第２のプラスチックは、異なるプラスチックであってもよい。
【００１８】
好ましい一実施例によれば、ファンは、吸込み側及び加圧側を含む実質的に管状のハウジングを有し、回転子及び固定子ハウジングは、ハウジング内に配置され、固定子ハウジングは、複数の支柱によりハウジング内に固定される。これは、例えば、ファンが管又は管系内に容易に組み入れられてそこで所望の流れ又は圧力を生成することを可能にする。この目的のために、ファンのハウジングは、いずれの場合にも吸込み側及び加圧側の両方にフランジを有することができ、このフランジにより、ファンが管に取り付けられ得る。固定子ハウジングを固定するのに用いられる支柱は、ファンのためのディフューザとして設計され得ることが、有利である。
【００１９】
さらに好ましい方策は、固定子ハウジングが、第１のハウジング部分及び第２のハウジング部分を有し、第１のハウジング部分が、回転子内に配置され且つ回転子の磁気コアによって取り囲まれ、また、第２のハウジング部分が、回転子の磁気的有効コアの外径と少なくとも同じ大きさの外径を有することである。固定子ハウジングのこの最適化された形状は、電磁回転駆動部のための電源電子装置などの追加の構成要素が固定子ハウジング内に配置され、したがって固定子ハウジングによって保護されることを可能にする。
【００２０】
ファンは、ファンを制御又は調整するための検査デバイスを有することが好ましく、この検査デバイスは、固定子ハウジングの第２のハウジング部分内に配置される。この方策は、特にコンパクトで場所を取らない設計を可能にする。電磁場を生成するための電源電子装置、回転子を駆動し且つ支持するための調整デバイス、及び、必要であればセンサ又は評価ユニットを有し得る、検査デバイス全体は、固定子ハウジング内に組み入れられるか又は内蔵される。したがって、ファンにはエネルギーだけが供給されればよく、また、必要であれば、例えばファンを始動又は停止させるために、又は回転速度を判定するために、信号が供給される。この目的のために、ファンに電気エネルギーを提供する供給ラインが設けられ得る。この供給ラインは、固定子ハウジングを固定する支柱のうちの１つの内側に配置されることが好ましい。
【００２１】
さらに、流体流の圧力又は流量を判定することを可能とするセンサが設けられる場合、センサは、検査デバイスに信号接続され、検査デバイスは、圧力又は流量を調整又は制御するように設計されることが、有利である。このようにして、例えば、ファンによって生成された流体流が、制御又は調整され得る。センサは、吸込み側又は加圧側に配置され得る。具体的には、センサは、固定子ハウジングに固定されてもよい。
【００２２】
好ましい一実施例によれば、固定子は、半径方向にそれぞれが延在する複数のコイル・コアを有し、各コイル・コアは、回転電磁場を生成するための集中巻線を担持する。固定子は、そのそれぞれが集中巻線を担持する厳密に６つのコイル・コアを有することが、特に好ましい。
【００２３】
好ましい一実施例では、回転子の磁気的有効コアは、環状のリフラックス（ｒｅｆｌｕｘ；還流部分）、及び、複数の永久磁石を有し、リフラックスは、切れ目がないように設計され、且つ、軟磁性材料で作られ、各永久磁石は、鎌形状（三日月状）の断面を有して設計され、且つ、リフラックスの半径方向内側側面に嵌め込まれる。一方では、この実施例により、磁気軸受の非常に良好なトルク及び非常に良好な剛性を得ることができ、また他方では、必要とされる永久磁石材料が特に少量であるので、永久磁石にかかる費用が削減される。
【００２４】
さらなる有利な方策は、熱を散逸させるための熱伝導要素が固定子ハウジング内に設けられることであり、この熱伝導要素は、少なくとも検査デバイスを取り囲むように設計される。熱伝導要素は、金属製の熱伝導要素であり且つ例えばアルミニウムで構成されることが好ましい。熱伝導要素は、例えば、第２のハウジング部分の内壁に沿って延在するように、カップ形状とされ得る。
【００２５】
回転子の磁気軸受を支持するために、回転子は、傾きに対する回転子の流体力学的安定化のために設計されることが好ましい。この流体力学的安定化により、磁気軸受はまた、軸方向軸受の振動が防止されるように、軸方向に関して有利に減衰される。
【００２６】
流体力学的安定化のための様々な方策があり、ここで、そのうちのいくつかを限定的なリストに挙げる。
【００２７】
インペラのハブは、吸込み側端部及び加圧側端部を有し、回転子の磁気的有効コアは、軸方向に関してハブの吸込み側端部よりも加圧側端部に接近して配置される。これは、磁気的有効コアが軸方向に関してインペラのハブ内で中心に配置されずに加圧側の方向に変位されることを意味する。
【００２８】
インペラのハブは、その吸込み側端部に入口領域を有することができ、この入口領域では、ハブは、吸込み側端部の方向に細くなるように設計される。
【００２９】
インペラは、各羽根が前縁を有し、各前縁が軸方向に垂直に延在するように、設計され得る。
【００３０】
インペラは、各羽根が後縁を有し、各後縁が軸方向に対して９０°とは異なる角度でハブに通じているように、設計され得る。
【００３１】
インペラは、各羽根が後縁を有し、回転子と同軸に配置される少なくとも１つの安定化リングが後縁に設けられるように、設計され得る。
【００３２】
軸方向に関してハブの吸込み側端部と加圧側端部との間に置かれた位置において各羽根がハブに通じるようにインペラを設計することも、可能である。
【００３３】
述べられた方策のうちのいずれかのみが実現されるファンの実施例が可能であり、同様に、述べられた方策の任意の組合せが実現される実施例が可能である。
【００３４】
本発明のさらなる有利な方策及び実施例は、従属請求項よりもたらされる。
【００３５】
以下、実施例を参照しながら、また、図面を参照しながら、本発明をより詳細に説明する。
【図面の簡単な説明】
【００３６】
【図１】本発明によるファンの一実施例の斜視図である。
【図２】図１中の断面線ＩＩ−ＩＩに沿った、実施例の軸方向における断面図である。
【図３】図２と同様の図であるが、斜視図である。
【図４】図２中の断面線ＩＶ−ＩＶに沿った、軸方向に垂直な実施例の断面図である。
【図５】図４と同様の図であるが、斜視図である。
【図６】回転子の磁気的有効コアの変形形態のための固定子及び回転子の磁気的有効コアの、軸方向における断面の斜視図である。
【図７】図６中の断面線ＶＩＩ−ＶＩＩに沿った斜視図における、図６の固定子及び磁気的有効コアの軸方向に垂直な断面図である。
【図８】図７と同様の図であるが、断面表面に対する平面図である。
【図９】図８と同様の図であるが、寸法を明確にするための図である。
【図１０】図９と同様の図であるが、さらなる寸法を明確にするための図である。
【図１１】図６と同様の図であるが、断面表面に対する平面図である。
【図１２】熱伝導要素を含む固定子ハウジングの設計に対する第１の変形形態の、軸方向における断面の斜視図である。
【図１３】図１２と同様の図であるが、固定子ハウジングの設計に対する第２の変形形態の図である。
【図１４】図１２と同様の図であるが、固定子ハウジングの設計に対する第３の変形形態の図である。
【図１５】実施例の固定子ハウジングの設計に対する第３の変形形態である、図１４の熱伝導要素の斜視図である。
【図１６】軸方向に沿った断面における、インペラの羽根がファンのハウジング内に配置された回転子の概略断面図である。
【図１７】図１６と同様の図であるが、回転子の流体力学的安定化を伴う回転子の設計に対する変形形態の図である。
【図１８】図１６と同様の図であるが、回転子の流体力学的安定化を伴う回転子の設計に対する変形形態の図である。
【図１９】図１６と同様の図であるが、回転子の流体力学的安定化を伴う回転子の設計に対する変形形態の図である。
【図２０】図１６と同様の図であるが、回転子の流体力学的安定化を伴う回転子の設計に対する変形形態の図である。
【図２１】図１６と同様の図であるが、回転子の流体力学的安定化を伴う回転子の設計に対する変形形態の図である。
【図２２】管内に配置された本発明によるファンの一実施例の変形形態の概略図である。
【図２３】管内に配置された本発明によるファンの一実施例の変形形態の概略図である。
【図２４】管内に配置された本発明によるファンの一実施例の変形形態の概略図である。
【発明を実施するための形態】
【００３７】
図１は、参照符号１により全体が指定された本発明によるファンの一実施例を、斜視図で示す。より良い理解のために、図２及び図３は、図１中の断面線ＩＩ−ＩＩに従ってこの実施例の２つの断面図をなおも示し、図２は、断面表面に対する平面図を示し、図３は、斜視図における断面を示す。
【００３８】
ファン１は、流体流、例えば空気流又はガス流を生成するための回転子２、及び、回転子２を軸方向Ａの周りで回転させるための電磁回転駆動部を回転子２と一緒に形成する固定子３を有する。回転子２及び固定子３は、外部回転子として設計された回転駆動部を形成し、即ち、回転子２は、固定子３を取り囲み、且つ、動作状態において内側の固定子３の周りを回転する。
【００３９】
電磁回転駆動部は、無軸受モータの原理に従って設計され、且つ、接触なしで磁気的に駆動されることができ且つコイル・フリーであるように設計された回転子２と、回転子２を動作状態において望ましい回転軸の周りで接触なしで磁気的に駆動させることを可能としまた回転子２を固定子３に対する接触なしで磁気的に浮上させることを可能とする駆動軸受固定子として設計された固定子３と、を有する。望ましい回転軸は、軸方向Ａを決定する。固定子３は、回転子２に対して内側に配置される。
【００４０】
以下では、軸方向Ａを決定する望ましい回転軸は、回転子２が固定子３に対して中心の傾けられていない位置にあるときに回転子２がその周りで回転する回転軸を意味する。そのため、回転子２は、固定子３の中心軸に垂直な平面において中心に配置され、且つ、この平面に対して傾けられない。望ましい回転軸は、通常、固定子３の中心軸と一致する。
【００４１】
以下では、軸方向に垂直な方向は、さらに大まかに半径方向と呼ばれる。半径方向平面は、望ましい回転軸又は軸方向Ａに垂直な平面を意味し、この平面は、固定子３の磁気中心平面である。半径方向平面は、そのｚ軸が軸方向Ａに延びるデカルト座標系のｘ−ｙ平面を画定する。
【００４２】
より良い理解のために、図４及び図５はそれぞれ、図１に示された実施例の断面を示し、この断面は、断面線ＩＶ−ＩＶにより図２に表わされているように、半径方向平面において、即ち固定子３の磁気中心平面において、軸方向Ａに垂直である。図４は、断面の平面、即ち固定子３の磁気中心平面に対する平面図を示し、図５は、断面を斜視図で示す。
【００４３】
回転駆動部の回転子２は、コイル・フリーであるように設計され、即ち、回転子２上には巻線が設けられない。回転子２は、環状の態様で設計された磁気的有効コア２２と、ハブ２３及びハブ２３上に配置された複数の羽根２４を有するインペラ２１と、を有する。インペラ２１は、軸インペラとして設計される。羽根２４は、動作状態において流体流を生成する。インペラ２１のハブ２３及び羽根２４は、第１のプラスチックで構成される。回転子２は、空気流を生成するファン１の回転子２でもあり、インペラ２１の回転を引き起こす電磁回転駆動部の回転子２でもある。一体型回転子としても知られるこの実施例は、ファン１の特にコンパクトな設計を可能にする。
【００４４】
回転子２の磁気的有効コア２２は、軸方向Ａにおける高さＨＲ（図１１）及び内側半径ＩＲ（図９）を有する環状ディスク又は円柱状リングの形態で設計される。回転子２の「磁気的有効コア２２」は、トルク生成のためにまた磁気軸受力を生成するために固定子３と磁気的に相互作用する、回転子２の領域を意味する。
【００４５】
回転子２の磁気的有効コア２２は、環状の半径方向外側のリフラックス２２２と、例えば永久磁石リングとして設計され得る少なくとも１つの永久磁石２２１と、を有する。当然のことながら、例えばリング・セグメントとしてそれぞれが設計される、複数の永久磁石２２１が設けられることも可能である。ここで説明される実施例では−図４及び図５を特に参照されたい−合計４つの永久磁石２２１が設けられ、それらは一緒にリングを形成する。各永久磁石２２１は、図４及び図５において参照符号のない矢印によって示されるように、半径方向又は直径方向に磁化される。隣り合う永久磁石２２１はそれぞれ、相反する方向に磁化され、即ち、半径方向又は直径方向に内向きに磁化された永久磁石２２１、及び、半径方向又は直径方向に外向きに磁化された永久磁石２２１は、いずれの場合にも互いに隣り合う。したがって、ここでは、回転子２は、４極であり、即ち、磁極対数２を有して設計される。
【００４６】
高磁性の、つまり高い保磁力を有する、これらの強磁性材料又はフェリ磁性材料は、典型的には永久磁石と呼ばれる。保磁力は、材料を消磁するのに必要とされる磁界強度である。本出願の枠内では、永久磁石は、１０，０００Ａ／ｍ超になる保磁力、より正確には１０，０００Ａ／ｍ超になる磁気分極の保磁力を有する材料として理解される。回転子の磁気的有効コアの全ての永久磁石２２１は、ネオジミウム−鉄−ボロン（ＮｄＦｅＢ：ｎｅｏｄｙｍｉｕｍ−ｉｒｏｎ−ｂｏｒｏｎ）合金、又はサマリウム−コバルト（ＳｍＣｏ：ｓａｍａｒｉｕｍ−ｃｏｂａｌｔ）合金で構成されることが好ましい。
【００４７】
磁気的有効コア２２は、全ての永久磁石２２１の周りで半径方向外側に配置された環状のリフラックス２２２をさらに有する。リフラックス２２２は、強磁性材料で構成され、且つ、磁束を誘導する働きをする。リフラックス２２２は、全ての永久磁石２２１を包囲する。
【００４８】
回転子２の磁気的有効コア２２は、インペラ２１のハブ２３が回転子２の磁気的有効コア２２を全面的に包囲し、また、ハブ２３が回転子２の磁気的有効コア２２のための被覆を形成するように、インペラ２１のハブ２３内に配置される。この目的のために、例えば、製造プロセス中、磁気的有効コア２２は、ハブ２３を作る第１のプラスチックと共に成形することによって封入され得る。しかし、磁気的有効コア２２が挿入される環状凹部をハブに設けることも可能である。その後、環状凹部は、適切に成形されたプラスチック・カバーで閉じられ、次いで、プラスチック・カバーは、例えば溶接法によりハブ２３の残りの部分に接続される。すると、回転子２の磁気的有効コア２２は、密閉的に封入される。
【００４９】
固定子３は、星状の態様で配置された複数の−ここでは６つの−コイル・コア３１を有する。各コイル・コア３１は、棒形状に設計されて固定子３の中心に配置された中心磁極片３２から半径方向外向きに延在し、且つ、各コイル・コア３１が基本的にＴ形状の外観を有するように、丸みのある磁極シュー３１１（図９も参照）で終端する。全ての磁極シュー３１１の半径方向外側境界表面はみな、中心磁極片３２の長手軸と同軸の円柱上に位置する。
【００５０】
回転子２の磁気駆動及び磁気軸支持に必要な電磁回転場を生成するために、コイル・コアは、巻線を担持する。例えば、ここで説明される実施例では、巻線は、いずれの場合にも集中巻線が個別のコイル３３として各コイル・コア３１に巻回されるように、設計される。これらのコイル３３は、動作状態においてそれらの電磁回転場を生成するために使用され、この電磁回転場により、回転子２にトルクがもたらされ、また、この電磁回転場により、回転子２の半径方向位置、即ち軸方向Ａに垂直な半径方向平面における回転子２の位置が能動的に制御又は調整され得るように、任意に調節可能な横方向力が半径方向において回転子２に与えられ得る。
【００５１】
固定子３の中心磁極片３２及びコイル・コア３１の両方、並びに回転子２の磁気的有効コア２２のリフラックス２２２は、磁束を誘導するためのフラックス伝導要素として働くので、それぞれ軟磁性材料で作られる。適切な軟磁性材料は、例えば、強磁性材料又はフェリ磁性材料であり、具体的には鉄、ニッケル−鉄、又はシリコン−鉄である。特に、固定子３に対しては、固定子金属薄板積層体としての設計がここでは好まれ、この場合、コイル・コア３１及び中心磁極片３２は、金属薄板で作られ、即ち、それらは、積み重ねられたいくつかの薄い要素で構成される。回転子２の磁気的有効コア２２のリフラックス２２２もまた、金属薄板で作られ得る。金属薄板設計の代案として、電気的に絶縁され且つ圧縮された金属粒子で構成される軟磁性複合材料もまた、回転子及び／又は固定子のために使用され得る。具体的には、ＳＭＣ（ｓｏｆｔ  ｍａｇｎｅｔｉｃ  ｃｏｍｐｏｓｉｔｅ、軟磁性複合材）としても説明されるこれらの軟磁性複合材料は、電気絶縁層で被覆された鉄粉粒子で構成され得る。これらのＳＭＣはその後、粉末冶金法を使用して所望の形状に形成される。
【００５２】
すでに述べたように、回転子２及び固定子３による電磁回転駆動部は、無軸受モータの原理に従って設計され、この場合、回転子２は、接触なしで磁気的に駆動され、且つ、固定子３に対する接触なしで磁気的に浮上され、別体の又は分離可能な磁気軸受は、回転子２のために設けられない。軸支持機能及び駆動機能は、同一の固定子３で実現され、この場合、固定子３を軸受ユニットと駆動ユニットとに分けることは不可能である。駆動機能及び軸支持機能は、互いに分離され得ない。「無軸受モータ」という用語は、別体の磁気軸受又は磁気軸受ユニットが回転子２のために設けられないので、そのような回転駆動部に対して確立されるようになっている。これらの特に効率的な無軸受モータは、「非接触」構想の同時実現を伴うそれらの極めてコンパクトな設計により、特に特徴付けられる。
【００５３】
したがって、無軸受モータは、回転子２が固定子３に対して磁気的に浮上される電磁回転駆動部であり、別体の磁気軸受又は磁気軸受ユニットは、設けられない。この目的のために、固定子３は、電気駆動部の固定子３でもあり磁気軸受の固定子３でもある、駆動軸受固定子として設計される。駆動軸受固定子３のコイル３３により磁気回転場を生成することができ、この磁気回転場は、一方では、回転子２の回転を生じさせるトルクを回転子２に与え、他方では、回転子２の半径方向位置、即ち半径方向平面における回転子２の位置が能動的に制御又は調整され得るように、任意に調節可能な横方向力を回転子２に与える。無軸受モータは、今や当業者には良く知られており、そのため、その機能の詳細な説明は、もはや必要とされない。
【００５４】
したがって、回転子２の３つの自由度、即ち、半径方向平面における回転子２の位置（２つの自由度）及び軸方向Ａの周りでの回転子２の回転が、能動的に制御又は調整され得る。望ましい回転軸の方向における回転子２の軸方向の偏りに関して、回転子２は、磁気抵抗力により、受動的に磁気的に、即ち制御不能に、安定化又は浮上される。回転子２はまた、残りの２つの自由度、即ち軸方向に垂直な半径方向平面に対する傾きに関して、受動的に磁気的に安定化又は浮上される。したがって、回転子２の半径方向軸支持は、能動的な半径方向磁気軸支持の機能に対応し、軸方向軸支持は、受動的な軸方向磁気軸支持の機能に対応する。
【００５５】
従来の磁気軸受とは対照的に、無軸受モータのモータの磁気軸支持及び駆動は、電磁回転場を介して実現される。典型的には、無軸受モータでは、磁気的な駆動及び軸支持機能は、駆動場及び制御場と通常呼ばれる２つの磁気回転場の重ね合わせによって作り出される。固定子３の巻線又はコイル３３によって生成されるこれら２つの回転場は、通常、１だけ異なる磁極対数を有する。例えば、駆動場が磁極対数ｐを有する場合、制御場は、磁極対数ｐ＋１又はｐ−１を有する。半径方向平面において回転子２に作用する接線分力が、駆動場によって生成され、軸方向Ａの周りでの回転子２の回転を生じさせるトルクをもたらす。駆動場と制御場とを重ね合わせることにより、半径方向平面において回転子２にかかる任意に調節可能な横方向力を生成することも可能であり、この横方向力により、半径方向平面における回転子２の位置を調整することができる。したがって、固定子３のコイル３３によって生成される電磁束を、回転子２の駆動のみを提供する（電）磁束と、回転子２の磁気軸支持のみを実現する（電）磁束とに分けることは、不可能である。
【００５６】
一方では、駆動場及び制御場を生成するために、異なる２つの巻線系（ｗｉｎｄｉｎｇ  ｓｙｓｔｅｍ）、即ち、駆動場を生成するための巻線系と、制御場を生成するための巻線系とを使用することが可能である。駆動場を生成するためのコイルは、通常、駆動コイルと呼ばれ、制御場を生成するためのコイルは、制御コイルと呼ばれる。これらのコイルに印加される電流は、駆動電流又は制御電流と呼ばれる。他方では、単一の巻線系のみを用いて駆動及び軸支持機能を作り出すことも可能であり、そのため、駆動コイルと制御コイルとの区別がない。これは、検査デバイス５によりその都度判定される駆動電流の値及び制御電流の値が計算−即ち、例えばソフトウェアによる計算−によって追加されるか又は重ねられ、そして得られる全電流がそれぞれのコイル３３に印加されるような方法で、実現され得る。この場合、制御コイルと駆動コイルとを区別することは、当然のことながらもはや不可能である。ここで説明される実施例では、後者の変形形態が実現され、即ち、駆動コイルと制御コイルとが区別されないが、１つだけの巻線系が存在し、その６つのコイル３３において、駆動及び制御電流の数学的に判定された合計が印加される。しかし、２つの別々の巻線系により、即ち、独立した駆動コイル及び独立した制御コイルにより、本発明によるファン１を設計することも、当然のことながら可能である。
【００５７】
例えば無軸受モータとして設計された回転駆動部の回転子の位置、制御、給電、及び調整を判定するためのセンサ技術は、当業者には良く知られており、ここではさらなる説明は必要とされない。
【００５８】
本発明によるファン１では、回転子２の磁気的有効コア２２がインペラ２１のハブ２３によって全面的に包囲されるだけではなく、固定子３もまた、低透磁性材料で作られた固定子ハウジング４内に封入される。この低透磁性材料は、第２のプラスチックであることが好ましい。
【００５９】
低透磁性材料は、低い透磁率（磁気伝導性）のみを有する材料である。本出願の枠内では、低透磁性材料は−慣例の通りに−その透磁性数（比透磁率）が１（真空の透磁性数）からわずかにしか又は少しも逸脱しない材料であると理解される。いかなる場合においても、低透磁性材料は、１．１未満の透磁性数を有する。したがって、低透磁性材料は、例えばコイル・コア３１が作られる強磁性材料よりも著しく低い磁気伝導性を有する。
【００６０】
すでに述べたように、固定子ハウジング４が作られるこの低透磁性材料は、第２のプラスチックから作られることが好ましい。したがって、回転子２のインペラ２１が第１のプラスチックで作られ、固定子ハウジング４が第２のプラスチックで作られることが、好ましい。当然のことながら、第１のプラスチック及び第２のプラスチックが同じプラスチックであることが可能であり、また、多くの用途にとって望ましい。他方では、第１のプラスチック及び第２のプラスチックが異なるプラスチックであることも、可能である。
【００６１】
例えば、第１及び／又は第２のプラスチックは、以下のプラスチックのうちの１つであってもよい：ポリエチレン（ＰＥ：ｐｏｌｙｅｔｈｙｌｅｎｅ）、低密度ポリエチレン（ＬＤＰＥ：ｌｏｗ  ｄｅｎｓｉｔｙ  ｐｏｌｙｅｔｈｙｌｅｎｅ）、超低密度ポリエチレン（ＵＬＤＰＥ：ｕｌｔｒａ  ｌｏｗ  ｄｅｎｓｉｔｙ  ｐｏｌｙｅｔｈｙｌｅｎｅ）、エチレン酢酸ビニル（ＥＶＡ：ｅｔｈｙｌｅｎｅ  ｖｉｎｙｌ  ａｃｅｔａｔｅ）、ポリエチレン・テレフタレート（ＰＥＴ：ｐｏｌｙｅｔｈｙｌｅｎｅ  ｔｅｒｅｐｈｔｈａｌａｔｅ）、ポリ塩化ビニル（ＰＶＣ：ｐｏｌｙｖｉｎｙｌ  ｃｈｌｏｒｉｄｅ）、ポリプロピレン（ＰＰ：ｐｏｌｙｐｒｏｐｙｌｅｎｅ）、ポリウレタン（ＰＵ：ｐｏｌｙｕｒｅｔｈａｎｅ）、ポリフッ化ビニリデン（ＰＶＤＦ：ｐｏｌｙｖｉｎｙｌｉｄｅｎｅ  ｆｌｕｏｒｉｄｅ）、アクリロニトリル・ブタジエン・スチレン（ＡＢＳ：ａｃｒｙｌｏｎｉｔｒｉｌｅ  ｂｕｔａｄｉｅｎｅ  ｓｔｙｒｅｎｅ）、ポリアクリル酸、ポリカーボネート（ＰＣ：ｐｏｌｙｃａｒｂｏｎａｔｅ）、又はシリコーン。多くの用途に対して、Ｔｅｆｌｏｎの商標名で知られている材料、ポリテトラフルオロエチレン（ＰＴＦＥ：ｐｏｌｙｔｅｔｒａｆｌｕｏｒｏｅｔｈｙｌｅｎｅ）及びペルフルオロアルコキシ・ポリマー（ＰＦＡ：ｐｅｒｆｌｕｏｒｏａｌｋｏｘｙ−ｐｏｌｙｍｅｒ）もまた、第１及び／又は第２のプラスチックとして適している。
【００６２】
これらのプラスチックのうちの１つが、回転子２の磁気的有効コア２２を密閉的に封入するための第１のプラスチックとして使用され、また、これらのプラスチックのうちの１つが、固定子３を密閉的に封入するための第２のプラスチックとして使用されることが、好ましい。理解には十分であるので、以下では第１のプラスチックと第２のプラスチックの区別はなされない。
【００６３】
述べられた全てのプラスチックは低透磁性であるので、即ち、それらのプラスチックは磁束を十分に伝導しないので、半径方向において一方では回転子２の磁気的有効コア２２との間にまた他方では固定子３のコイル・コア３１の磁極シュー３１１との間に配置されるハブ２３及び固定子ハウジング４の領域は、回転子２と固定子３との間の磁気空隙に割り当てられるべきである。したがって、回転子２と固定子３との間の磁気空隙は、回転子２の磁気的有効コア２２と固定子３のコイル・コア３１の磁極シュー３１１との間の半径方向における距離に等しい。したがって、磁気的有効コア２２の密閉的封入、及び、固定子３の密閉的封入は、他の無軸受モータと比較して大きな磁気空隙を生じさせる。回転子３が中心に配置されたときの磁気空隙の幅は、例えば４ｍｍであるか、さらに大きいことすらある。これは、４ｍｍの磁気空隙の幅の場合、１つの磁極シュー３１１から反対側の磁極シュー３１１まで測定された固定子３の最大直径が回転子２の磁気的有効コア２２の内径よりも８ｍｍ小さいことを意味する。
【００６４】
ファン１は、実質的に管状の形状であり且つ回転子２のインペラ２１を同軸的に取り囲むハウジング６を、さらに有する。ハウジング６は、そこを通じてファン１が空気を吸い込む吸込み側６１（図２、図３）と、そこを通じてファン１が空気を排出する加圧側６２と、を有する。回転子２及び回転子２によって包囲される固定子３、並びに固定子ハウジング４全体は、吸込み側６１と加圧側６２との間で管状ハウジング６内に配置され、固定子ハウジング４は、複数の支柱７を介してハウジング６の加圧側６２に取り付けられることが好ましい。各支柱７は、半径方向において固定子ハウジング４から管状ハウジング６の内壁の方向に外向きに延在する。全体の支柱７は、ディフューザとして設計され得る。支柱７は、第１のプラスチック又は第２のプラスチックから作られることが好ましい。
【００６５】
ハウジング６は、吸込み側６１上の吸込み側フランジ６３、及び、加圧側６２上の加圧側フランジ６４をさらに有する。フランジ６３及び６４により、ファン１は、簡単なやり方で管又は管系内に組み入れられ得る（例えば、図２２参照）。ここで説明される実施例では、両方のフランジ６３、６４が、矩形の、特に正方形の形状で設計され、また、各フランジ６３、６４の各コーナには、いずれの場合にも、簡単なやり方でファン１が別の要素に、例えば別のフランジに取り付けられ得るように、締結手段、例えばねじ（図示せず）のそれぞれの受入れのために、取付け穴６５が設けられる。
【００６６】
固定子ハウジング４は、軸方向Ａに関して上下に配置された第１のハウジング部分４１及び第２のハウジング部分４２を有し、第１のハウジング部分４１は、ハウジング６の吸込み側６１に配置され、第２のハウジング部分は、ハウジング６の加圧側６２に配置される。各ハウジング部分４１、４２は、円筒状の形状を有し、第２のハウジング部分４２の外径Ｄ２（図２）は、第１のハウジング部分４１の外径Ｄ１よりも大きい。全体で、固定子ハウジング４は、長い方の線を中心としてＬの字を回転させたときに作り出される空間を包囲する。
【００６７】
第１のハウジング部分４１の外径Ｄ１は、第１のハウジング部分４１が回転子２のハブ２３の中央凹部内に挿入され得るように、この中央凹部の内径よりも小さい。電気回転駆動部の固定子３は、固定子ハウジング４が回転子２のハブ２３にある中央凹部内に挿入されたときに固定子３が回転子２の磁気的有効コア２２によって取り囲まれるように、固定子ハウジング４の第１のハウジング部分４１内に配置される。これは、固定子３が回転子２により半径方向内方に内側に取り囲まれる、外部回転子のための回転駆動部の通常の配置をもたらす。
【００６８】
固定子ハウジング４の第２のハウジング部分４２の外径Ｄ２は、回転子２の磁気的有効コア２２の外径ＤＭと少なくとも同じ大きさであるような寸法とされる。固定子ハウジング４をハウジング６内に固定する支柱７は、第２のハウジング部分４２上に配置され、且つ、いずれの場合にも第２のハウジング部分４２からハウジング６の内壁まで半径方向に延在する。描写によれば回転子２より下に配置される固定子ハウジング４の第２のハウジング部分４２内には、ファン１を駆動し且つ調整するのに用いられる検査デバイス５が設けられる。検査デバイス５は、コイル３３のための電流を生成する電源電子装置と、回転子２の駆動及び回転子２の半径方向位置を調整又は制御する、調整・制御デバイスを有する。同様に、検査デバイス５は、任意選択の圧力センサ又は流量センサの接続後に作動され得る流量回路及び／又は圧力制御回路を有し得る。電源電子装置は、回路基板又はプリント回路基板（ＰＣＢ：ｐｒｉｎｔｅｄ  ｃｉｒｃｕｉｔ  ｂｏａｒｄ）として設計されることが好ましい。さらに、検査デバイス５は、様々なセンサ、及び、センサによって供給される信号を処理するための評価ユニットを有し得る。検査デバイス５全体も固定子ハウジング４内に配置されるという事実により、ファン１の極めてコンパクトで場所を取らない設計が達成される。その上、密閉的に封止された固定子ハウジング４内の検査デバイス５はまた、化学的に攻撃的な環境条件の他に、埃及び汚れに対しても保護される。
【００６９】
さらに、ケーブル７２のためにフィード・スルー７１が設けられ、このケーブル７２を介して、検査デバイス５にエネルギーが供給される。ケーブル７２は、さらに、検査デバイス５への又は検査デバイス５からのアナログ信号又はデジタル信号の伝送のために使用され得る。この目的のために、ケーブル７２は、例えば、電圧源に、また、通信インターフェース４００（図２２）に接続される。固定子ハウジング４の第２のハウジング部分４２からファン１の周囲へのフィード・スルー７１は、支柱７のうちの１つに設けられ、又は、フィード・スルー７１は、支柱７のうちの１つとして機能することが、特に好ましい。
【００７０】
したがって、回転子２の磁気的有効コア２２及び固定子３の両方並びに検査デバイス５が密閉的に封入されるので、ファン１は、半導体産業に見られるような問題をはらむ環境での使用に見事に適している。そのような環境には、腐食性の蒸気、ガス、さらには酸性物質が存在する場合があり、それらは、従来のファンには、ほんの短い動作期間後に相当な損傷を与える可能性がある。しかし、ファン１はまた、環境の機械的汚れ、例えば埃又は固体粒子に、特に耐性がある。無軸受の構想、並びに固定子３及び回転子２の磁気的有効コア２２の密閉的封入により、ファン１は、高純度環境での使用、又はレーザ技術で使用されるような高純度のガスを搬送するのに、特に適している。
【００７１】
図６〜図８は、回転子２の磁気的有効コア２２の設計に対する好ましい変形形態を示す。理解には十分であるので、図６、図７、及び図８では、より良好な概説のために回転子２の磁気的有効コア２２及び固定子３のみが示されている。図６は、変形形態を斜視断面図で示し、ここでは、断面は、固定子３の中心磁極片３２の中心を通る軸方向Ａに作られている。図７は、この回転子２の磁気的有効コア２２に対する変形形態を、図６中の断面線ＶＩＩ−ＶＩＩに沿った斜視断面図で示す。断面は、固定子３の中心を通る軸方向Ａに垂直に作られている。図８は、図７の断面表面の平面図を示す。
【００７２】
この回転子２の磁気的有効コア２２に対する同様に環状の変形形態では、環状のリフラックス２２２、及び、ここでは４つである複数の永久磁石２２１は、半径方向外側に設けられる。リフラックス２２２は、切れ目がないように設計され、且つ、軟磁性材料で作られる。４つの永久磁石２２１のそれぞれは、軸方向Ａに垂直な鎌形状の断面を有し、且つ、軸方向Ａに関して回転子２の磁気的有効コア２２の全高ＨＲ（図１１）にわたって延在するように、設計される。永久磁石２２１は、リフラックス２２２の半径方向内側側面上に円周方向に関して等距離に配置され、且つ、リフラックス２２２の半径方向内側側面にある相応に成形された凹部に嵌合される。
【００７３】
したがって、各永久磁石２２１は、２つの円柱セグメントにより半径方向において境界され、即ち、回転子２の磁気的有効コア２２の半径方向内側境界表面２２３と同じ半径及び同じ中心を有する円柱セグメントにより、半径方向内側に境界され、且つ、その中心が磁気的有効コア２２の半径方向内側境界表面２２３の中心から変位されておりまたその半径が磁気的有効コア２２の半径方向内側境界表面の半径よりも小さい円柱セグメントにより、半径方向外側に境界される。
【００７４】
各永久磁石は、図６〜図８において参照符号のない矢印によって示されるように、半径方向又は直径方向に磁化される。永久磁石２２１は、それぞれの隣り合う永久磁石２２１が相反する方向に磁化されるように、回転子２の円周方向に関して、半径方向又は直径方向において外側に、また、半径方向又は直径方向において内側に、交互に磁化される。したがって、回転子２は、４つの磁極を有して設計され、即ち、磁極対数２を有して設計される。
【００７５】
可能な限り強力且つ効率的なファン１のためには、回転子２の高回転速度が好ましく、このことが、回転子２が４つの磁極を有して設計されるのが好ましい理由である。
【００７６】
また特に、回転子２の確実な非接触磁気軸支持に関して、回転子２の環状ディスク形状の磁気的有効コア２２が−その固有の設計に関係なく−軸方向Ａにおける磁気的有効コア２２の高さＨＲ（図１１）の少なくとも１．５倍、好ましくは２倍の大きさの内径を有することが、特に好ましい。半径方向に見たときの高さＨＲが磁気的有効コア２２にわたって変化する場合、即ち、高さＨＲが一定ではない場合、少なくとも磁気的有効コア２２の半径方向内側境界表面２２３において、磁気的有効コア２２の内径が磁気的有効コア２２の高さＨＲの少なくとも１．５倍、好ましくは２倍の大きさであるという条件が満たされるべきである。これは、磁気的有効コア２２の半径方向内側境界表面２２３における磁気的有効コア２２の高さをＨＲが指定することを意味する。
【００７７】
以下では、回転子２の磁気的有効コア２２及び固定子３のためのいくつかの好ましい幾何学的寸法が、図９から図１１に基づいて説明されるが、それらは回転子２の非接触駆動及び回転子２の非接触磁気軸支持に関して特に有利である。図９及び図１０は、いずれの場合も基本的に図８と同じ図解を示し、即ち、軸方向Ａに垂直な断面を示すが、いくつかの寸法が描かれている。図１１は、基本的に図６と同じ図解を示し、即ち、軸方向Ａにおける断面を示すが、いくつかの寸法が描かれている。
【００７８】
ＭＲは、回転子２の環状の磁気的有効コア２２の半径方向平面における幾何学的中心を示す。
【００７９】
ＩＲは、磁気的有効コア２２の内側半径を示す。これは、ＩＲが磁気的有効コア２２の内径の半分を示すことを意味する。
【００８０】
ＨＲは、磁気的有効コア２２の半径方向内側境界表面２２３での、磁気的有効コア２２の軸方向Ａにおける高さを示す。
【００８１】
ＢＭは、永久磁石２２１の半径方向における最大厚さを示す。
【００８２】
ＢＲは、磁気的有効コア２２の半径方向における厚さを示す。
【００８３】
ＭＰは、永久磁石２２１の半径方向外側境界を形成する、半径方向平面に位置する円柱セグメントの幾何学的中心を示す。
【００８４】
Ｅは、中心ＭＰから回転子２の磁気的有効コア２２の中心ＭＲまでの距離を示す。
【００８５】
ＭＳは、固定子３の又は固定子３の中心磁極片３２の半径方向平面における幾何学的中心を示す。
【００８６】
ＡＳは、固定子３の外側半径、即ち、磁極シュー３１１が配置される円柱の半径を示す。
【００８７】
ＢＰは、固定子３のコイル・コア３１の磁極シュー３１１の開き角度を示す。この開き角度ＢＰは、円周方向で見たときに中心ＭＳと磁極シュー３１１の２つの端部とを接続する２本の接続線が囲む角度、即ち、基本的にＴ字形状のコイル・コア３１のＴの字の短い方の線の２つの端部から中心ＭＳまでの接続線が囲む角度である。
【００８８】
ＢＳは、コイル・コア３１の半径方向平面における幅を示す。
【００８９】
ＨＳは、コイル・コア３１の軸方向Ａにおける高さを示す。コイル・コア３１の高さＨＳが半径方向において変化する場合、ＨＳは、半径方向外側端部での、即ち磁極シュー３１１でのコイル・コア３１の高さを示す。ここで説明される実施例では、半径方向で見たときに、高さＨＳは一定であり、中心磁極片３２もまた、軸方向Ａにおける高さＨＳを有する。
【００９０】
以下の相対寸法が好ましい。
【００９１】
ＢＭとＢＲとの比は、好ましくは０．５から０．９であり、特に好ましくは０．７である。
【００９２】
ＥとＩＲとの比は、好ましくは０．２５から０．６５であり、特に好ましくは０．４５である。
【００９３】
ＢＳとＡＳとの比は、好ましくは０．２５から０．４５であり、特に好ましくは０．３５である。
【００９４】
ＨＲとＨＳとの比は、好ましくは１．５から２．５であり、特に好ましくは２．０である。
【００９５】
磁極シュー３１１の開き角度ＢＰは、好ましくは３０°から４５°であり、特に好ましくは４０°である。
【００９６】
さらに好ましい方策は、例えば検査デバイス５の電源電子装置によって生じる熱及び／又は流れている電流を通じて固定子３によって生じる熱を可能な範囲において最良の形で分散又は散逸させるために、固定子ハウジング４内に熱伝導要素８を設けることである。熱伝導要素８は、良好な熱伝導度を有する材料、例えば金属材料で構成される。熱伝導要素８は、アルミニウムで作られることが好ましい。以下では、熱伝導要素８に対する様々な変形形態が説明されるが、それらの変形形態では、熱伝導要素８は、常にアルミニウムで作られることが好ましい。
【００９７】
図１２は、熱伝導要素８を含む固定子ハウジング４の設計に対する第１の変形形態を、斜視断面図で示す。熱伝導要素８は、特に電源電子装置によって生じた熱が可能な限り分散されるように、熱伝導要素８が少なくとも検査デバイス５を取り囲むように設計され且つ配置される。
【００９８】
図１２に示された変形形態では、熱伝導要素８は、内部に検査デバイス５が配置される固定子ハウジング４の第２のハウジング部分４２の内部円筒壁に沿って全面的に延在するスリーブとして設計される。熱伝導要素８は、第２のハウジング部分４２の円筒壁の内側に直接据えられる。したがって、スリーブとして設計された熱伝導要素８は、固定子ハウジング４の円筒形の第２のハウジング部分４２の内径に一致する外径Ｗ２を有する。熱伝導要素８は、半径方向において第１のハウジング部分４１を越えて突出し、したがって描写によれば回転子２の下に配置される第２のハウジング部分４２の端面を境界する環状領域４２１もまた、その内側が熱伝導要素８で覆われるように、回転的に対称なＬ字の輪郭を有する。この方策により、特に検査デバイス５によって生じた熱は、第２のハウジング部分４２の壁上で広範囲にわたって分散される。この方策により、固定子ハウジング４を作るのに好ましい不十分な熱伝導性のプラスチックにもかかわらず、十分な熱が固定子ハウジング４から散逸され得る。熱は、第２のハウジング部分４２の内壁上で可能な限り広範囲にわたって分散されて、プラスチックに取り込まれる。それに加えて、動作状態において特に強力な流体力学的流れに見舞われる固定子ハウジング４の領域に熱が供給されることが好ましく、それにより、熱が確実に散逸される。
【００９９】
図１３に示された固定子ハウジング４の設計に対する第２の変形形態では、固定子３はまた、熱伝導要素８に熱的に結合される。熱伝導要素８はカップ８１を有し、このカップ８１は、回転的に対称なＵ字の輪郭を有する。カップ８１は、固定子ハウジング４の第２のハウジング部分４２の内部円筒壁に沿って全面的に延在し、且つ、その内部円筒壁に寄り掛かる。したがって、カップ８１は、固定子ハウジング４の円筒状の第２のハウジング部分４２の内径に対応する外径Ｗ２を有する。
【０１００】
図１２に示された第１の変形形態とは対照的に、第２の変形形態では、熱伝導要素８、より正確にはカップ８１は、第１のハウジング部分４１と第２のハウジング部分４２との境界において、全面的に閉じられる。それに加えて、熱伝導要素８は、軸方向Ａに延在する、中心に配置されたバー８２を有する。バー８２は、軸方向Ａにおいてカップ８１から固定子３の中心磁極片３２を完全に貫いて延在し、且つ、描写（図１３）によれば中心磁極片３２よりも上側で終端する。この方策により、固定子３はまた、固定子３において生じた熱もまた固定子ハウジング４を介して、また特に第２のハウジング部分４２の壁を介して広範囲にわたって分散されるように、熱伝導要素８に熱的に接続される。固定子３において生じる熱は、主に、例えば銅線で作られるコイル３３における電流（いわゆる銅損）と、例えば鉄で作られるコイル・コア３１及び中心磁極片３２において誘導される渦電流と、再磁化損（ｒｅｍａｇｎｅｔｉｚａｔｉｏｎ  ｌｏｓｓ）、いわゆるヒステリシス損とに基づく。渦電流損及びヒステリシス損はまた、合わせて鉄損とも呼ばれる。
【０１０１】
図１４では、熱伝導要素８を含む固定子ハウジング４の設計に対する第３の変形形態が表わされている。より良い理解のために、図１５は、図１４からの熱伝導要素８の斜視図をさらに示す。
【０１０２】
第３の変形形態では、第２の変形形態におけるように、熱伝導要素８はまた、検査デバイス５を取り囲むカップ８１、及び、軸方向Ａにおいてカップ８１から中心磁極片３２の内部を貫いて延在するバー８２を有する。それに加えて、第３の変形形態では、円形ディスク形状のプレート８３が設けられ、このプレート８３は、カップ８１と反対の側を向いたバー８２の端部に配置され、且つ、半径方向平面に平行である。プレート８３は、円筒状の第１のハウジング部分４１の内径に対応する直径Ｗ１を有する。描写（図１４）によれば、プレート８３は、固定子３のコイル３３よりも上側に配置され、且つ、吸込み側６１上で軸方向Ａにおいて第１のハウジング部分４１を境界する内部端面４１１に寄り掛かる。したがって、この第３の変形形態では、熱は、固定子ハウジング４の内部端面４１１上で広範囲にわたってさらに分散されて、固定子ハウジング４のプラスチックに取り込まれる。したがって、内部端面４１１はまた、やはり当然のことながらアルミニウムで作られることが好ましいプレート８３が熱を送り込む追加の表面として使用され、熱は、その後、入来する流体によって運び去られる。
【０１０３】
図１５では、さらなる有利な方策がさらに示されており、この方策は、当然のことながら第１の変形形態（図１２）又は第２の変形形態（図１３）においても実現され得る。熱伝導要素８は、実際には、複数のスリット８４を備えることが好ましく、スリット８４のそれぞれは、熱の熱流方向に、即ち半径方向外向きに延在する。熱伝導要素８が−好まれるように−金属材料で、即ち特にアルミニウムで作られている場合、熱伝導要素８における渦電流及び関連する渦電流損は、少なくとも非常に堅調に減少され得るが、スリット８４を通じた熱の熱散逸は、無視できるほどにしか影響されない。図１５に表わされた熱伝導要素８の第３の変形形態では、半径方向に延びるスリット８４は、プレート８３及びカップ８１の両方に設けられている。
【０１０４】
以下では、固定子２のインペラ２１の設計に対するいくつかの変形形態が、図１６〜図２１に基づいて説明される。これらの描写の全ては概略的なものであり、理解に十分な程度まで単純化されている。インペラ２１は、固定子ハウジング４内に封入された固定子３の周りに配置される環状のハブ２３と、ハブ２３にしっかりと接続されたいくつかの羽根２４とを有する。プラスチックで作られることが好ましい羽根２４は、ハブ２３と一体に製造され得るか、又は、羽根２４は、ハブ２３とは別に製造され、その後で例えば接着剤を用いて又は溶接法により、ハブ２３にしっかりと接続され得る。
【０１０５】
ハブ２３は、ハブ２３の第１の部品が最初に製造されるように２部品で製造されることが好ましく、この第１の部品には、回転子２の磁気的有効コア２２のための凹部が設けられる。次いで、磁気的有効コア２２が、この凹部に挿入される。続いて、磁気的有効コア２２がハブ２３内に密閉的に封入されるように、カバーとして設計されたハブ２３の第２の部品が、好ましくは溶接法によりハブの第１の部品にしっかりと接続される。
【０１０６】
特に図３にはっきりと見られ得るように、インペラ２１の羽根２４は、軸方向Ａに対して傾けられるようにそれぞれ設計されることが好ましい。より良い理解のために、この軸方向Ａに対する傾きは、概略的な図１６から図２１では表わされていない。これらの図１６から２１では、軸方向Ａの周りでの回転中に羽根２４によって一掃される空間は、いずれの場合にも回転軸に沿った断面−即ち、軸方向Ａに沿った断面−において表わされており、そのため、軸方向Ａに対する羽根２４の傾き、即ち、図１６〜図２１におけるそれぞれの断面平面に対する羽根２４の傾きは、表わされていない。これらの描写は、いずれの場合にも、それぞれの描画平面上への羽根２４の垂直投影に対応する。
【０１０７】
さらに、図１６〜図２１は、いずれの場合にも、磁気的に浮上された回転子２が半径方向平面において即ち固定子３の磁気中心平面において固定子３に対して中心に配置されている動作状態で、インペラ２１を示す。図１６から図２１では、固定子ハウジング４のみが示されている。参照符号のない矢印は、いずれの場合にも、流体流、即ち具体的には空気流が流れる方向を示す。描写によれば、いずれの場合にも、吸込み側６１は上部にあり、加圧側６２は下部にある。図１６から図２１では、幾何学的中心平面ＲＭも参照される。幾何学的中心平面ＲＭは、回転子２の磁気的有効コア２２の幾何学的中心を通って延在する、軸方向Ａに垂直な平面である。回転子２が固定子３に対して中心に配置されており且つ傾けられていない場合、幾何学的中心平面ＲＭ、及び半径方向平面、即ち固定子３の幾何学的中心平面は、一致する。
【０１０８】
インペラ２１の全ての羽根２４は、全く同じに設計されることが好ましい。
【０１０９】
図１６は、インペラ２１を含む回転子２の第１の変形形態の概略断面図を示し、インペラ２１は、ハブ２３及び羽根２４を有する。各羽根２４は、吸込み側６１に面する前縁２４１、及び、加圧側６２に面する後縁２４２を有する。この第１の変形形態では、各羽根２４は、中心平面ＲＭに関して対称的に設計され且つ配置される。軸方向Ａにおける各羽根２４の高さは、半径方向においてハブ２３から外側に向かって減少する。中心平面ＲＭに関して対称である前縁２４１及び後縁２４２は、いずれの場合にも、図１６に示されるように湾曲していてよい。当然のことながら、前縁２４１及び後縁２４２を一直線に、即ち湾曲なしに設計することも可能である。
【０１１０】
すでに述べたように、回転子２と固定子３との間の磁気回路内の磁気空隙は、一方では回転子２の磁気コア２２の完全な封入により、また他方では固定子３の完全な封入により、無軸受モータとして設計された既知の回転駆動部と比較して、かなり大きい。したがって、インペラ２１を含む回転子２が動作中の回転子２の流体力学的安定化のために設計されることが、特に好ましい方策である。具体的には、回転子２は、好ましくは、ファン１を流れる流体、即ち、例えば流動空気が、回転子２を軸方向Ａにおけるその位置に関して安定させ、且つ、半径方向平面に対するそれぞれの傾きに対して安定させるように、設計されるべきである。そうすることで、回転子２が受動的に磁気的に浮上又は安定化される自由度に関して、流動流体により回転子２が安定化されることが達成される。したがって、流体力学的安定化は、回転子２の受動的な磁気軸支持又は安定化を支援する。流動流体による流体力学的安定化により、軸方向Ａにおける回転子２の振動が抑制されるか又は少なくとも大きく減衰されるように、特に回転子２の受動的な磁気軸方向軸支持もまた、減衰される。
【０１１１】
以下では、限定的なリストにおける様々な変形形態に基づいて、回転子２がどのようにして流体力学的安定化のために設計され得るかに関する方策が説明される。それらの方策のうちのいくつかは組合せも可能であることが、理解される。
【０１１２】
図１７は、羽根２４が一方では非対称的な設計を有しまた他方では吸込み側６１の方向に変位されている、変形形態を示す。各羽根２４は、その重心が明らかに中心平面ＲＭの外側にあり且つ吸込み側６１と中心平面ＲＭとの間にあるように、設計され且つ配置される。前縁２４１は、ハブ２３から半径方向において外側に向かって一直線に、即ち湾曲せずに延在し、即ち、前縁２４１は、軸方向Ａに垂直に延在し、前縁２４１は、ハブ２３の吸込み側端部と位置合わせされている。後縁２４２は、図１６に表わされた変形形態と同様に半径方向において湾曲しているが、やはり吸込み側６１の方向に変位されている。
【０１１３】
図１８に表わされた変形形態は、図１７に表わされた変形形態と同様に設計されているが、図１８による変形形態では、羽根２４−より正確には羽根２４のそれぞれの重心−は、吸込み側６１の方向になおもさらに変位されている。それに加えて、各前縁２４１も湾曲しており、この湾曲は、前縁２４１の半径方向内側端部が、ハブ２３の吸込み側端部と位置合わせされ、前縁２４１の半径方向外側端部が、ハブ２３の吸込み側端部を越えて吸込み側６１の方向に突出するような湾曲である。
【０１１４】
図１９に示された変形形態では、回転子２の磁気的有効コア２２は、ハブ２３の加圧側端部の方向に変位されている。したがって、磁気的有効コア２２は、もはや軸方向Ａに関してハブ２３内で中心に配置されておらず、ハブ２３の吸込み側端部よりもハブ２３の加圧側端部に接近して配置されている。各前縁２４１は、半径方向において外側に向かってハブ２３から一直線に、即ち湾曲せずに延在し、即ち、各前縁２４１は、軸方向Ａに垂直に延在し、各前縁２４１は、ハブ２３の吸込み側端部と位置合わせされている。後縁２４２は、いずれの場合にも、図１７に表わされた変形形態と同様に半径方向において湾曲しているが、描写（図１９）によれば、後縁２４２は、ハブ２３の加圧側端部よりも上側でハブ２３の外側表面に通じており、即ち、後縁２４２は、軸方向Ａに関してハブ２３の加圧側端部まで延在しない。当然のことながら、後縁２４２を一直線に、即ち湾曲させずに設計することも、図１９に表わされた変形形態で可能である。
【０１１５】
図２０に表わされたインペラ２１の変形形態は、図１９に表わされた変形形態と同様に設計されている。しかし、図２０に表わされた変形形態では、インペラ２１のハブ２３は、その吸込み側端部に入口領域２３１を有し、この入口領域２３１では、ハブ２３は、吸込み側端部の方向にテーパに（細くなるように）設計される。これは、この入口領域２３１ではハブ２３が円錐形状又は切頭円錐形状に設計されることを意味し、円錐の頂上は、吸込み側に位置する。描写によれば、入口領域２３１は、軸方向Ａに関して磁気的有効コア２２よりも上側に配置される。
【０１１６】
図２１に表わされた変形形態は、図１６に表わされた変形形態と同様に設計されている。しかし、図２１に示された変形形態では、同心円状に配置されたいくつかの安定化リング２４３が設けられ、安定化リング２４３のそれぞれは、全ての羽根２４の後縁２４２に配置され、且つ、軸方向Ａに関して加圧側で羽根２４を越えて突出する。各安定化リング２４３は、いずれの場合にも、回転子２と同軸に配置され、且つ、全ての羽根２４の後縁２４２にわたって延在する。図２１に表わされた変形形態では、３つの同心の安定化リング２４３が設けられている。当然のことながら、１つだけの安定化リング２４３を設けることも可能である。
【０１１７】
すでに述べたように、図１６から図２１で説明された変形形態又は方策は、組み合わせることも可能である。したがって、例えば、図１７から図２０による変形形態において、いずれの場合にも１つ又は複数の安定化リング２４３を設けることも可能である。各後縁が軸方向Ａに対して９０°とは異なる角度でまた特に９０°未満の角度でハブ２３に通じている場合、全ての変形形態（図１６から図２１参照）において実現され得るさらに好ましい方策が存在する。この方策は、半径方向において湾曲した後縁２４２（図１６から図２１参照）、及び、直線状の即ち湾曲していない後縁（図示せず）の、両方に対して可能である。
【０１１８】
流体力学的安定化に加えて、又はその代わりとして、コイル３３又はそれらによって生成される電磁場により、能動的減衰も提供され得る。この目的のために、コイル３３によって生成される回転場は、もはや回転子２に対していかなるトルクももたらさないが永久磁石２２１によって生成される磁場を弱化又は強化するように、配向される。これは、電流ポインタ（ｃｕｒｒｅｎｔ  ｐｏｉｎｔｅｒ）と磁束ポインタ（ｍａｇｎｅｔｉｃ  ｆｌｕｘ  ｐｏｉｎｔｅｒ）との間にもはや９０°の位相変位が存在しないように、コイルによって生成される回転場が、電流ポインタが磁束ポインタと同じ方向又は反対方向を指すように、調節されることを意味する。
【０１１９】
この方法はまた、回転子を特に迅速に減速させるために、有利に使用され得る。回転子２内に存在する運動エネルギーは、回転子２内の永久磁石２２１の磁化を変化させようとすることによって破棄される。この回転子２の運動エネルギーの破棄は、回転子２の回転の急減速をもたらす。
【０１２０】
さらなる好ましい方策は、流体流の圧力又は流量を判定することを可能とするセンサ９が設けられることであり、この場合、センサ９は、検査デバイス５に信号接続される。検査デバイス５は、圧力又は流量を調整又は制御するように設計されることが好ましい。センサ９は、回転子２の吸込み側又は加圧側に配置され得る。
【０１２１】
次に、図２２から図２４における概略図に基づいて、流体流、例えば空気流の調整又は制御のためにファン１が設計され且つ配置される、様々な変形形態について説明する。ファン１が管１００に組み入れられ且つ管において調整可能又は制御可能な流体流を生成するように意図されている、例示的な性質を有する適用が参照される。管１００は、チャンバ２００内に配置される。これは、半導体産業における場合にそうであり得るように、耐化学性を必要とするチャンバ２００であり得る。
【０１２２】
図２２は、チャンバ２００を貫通する管１００内にファン１が組み入れられている変形形態を示す。ファンは、管１００の第１の区間１０１と第２の区間１０２との間に配置される。この目的のために、ファン１の吸込み側フランジ６３は、第１の区間１０１のフランジにしっかりと接続され、加圧側フランジ６４は、第２の区間１０２のフランジにしっかりと接続される。ファン１によって生成される流体流は、参照符号のない矢印によって示される。センサ９は、圧力センサ又は流量センサとして設計され、且つ、吸込み側に、即ちファン１の上流に設けられる。センサ９は、例えば、管１００に取り付けられてもよく、又は、ファン１に取り付けられてもよい。センサ９は、例えば信号線９１を介して、又は無線で、外部の論理ユニット３００に信号接続される。例えば、論理ユニット３００は、プログラム可能論理制御装置（ＰＬＣ：ｐｒｏｇｒａｍｍａｂｌｅ  ｌｏｇｉｃ  ｃｏｎｔｒｏｌｌｅｒ）として設計される。例えば、論理ユニット３００では、センサ９のアナログ信号が、ケーブル７２を介して検査デバイス５に送られる。検査デバイス５は、センサ９の信号を用いて管１００内の流体流を調整又は制御するために、必要な調整デバイスを有する。これらの調整デバイスにより、流体流は、予め決定可能な所望の値に調整され得る。
【０１２３】
ファンは、通信インターフェース４００にさらに接続され、この通信インターフェース４００を介して、使用者はデータを入力すること又は読出すことができる。当然のことながら、そのような実施例は、加圧側、即ちファンの下流にセンサ９が配置される場合でも、又は、ファン１の吸込み側及び加圧側の両方にセンサ９が設けられる場合でも、可能である。
【０１２４】
図２３及び図２４に表わされた変形形態に対しては、図２２に示された変形形態との違いのみが説明される。その他の点では、図２２において与えられた説明は、図２３及び図２４に表わされた変形形態にも同じ形で又は同様の形で当てはまる。
【０１２５】
図２３に表わされた変形形態では、センサ９は、例えばセンサ・ケーブル９２を介して、ファン１の固定子ハウジング４内の検査デバイス５に直接接続される。センサ９は、ファン１に又は管１００に直接取り付けられ得る。図２３は、センサ９がファン１の加圧側に配置されている一実施例を示す。当然のことながら、ここでは、センサ９がファン１の吸込み側に配置される実施例、又は、センサ９がファン１の吸込み側及び加圧側の両方に設けられる実施例も、可能である。このセンサ９と検査デバイス５との間の直接信号接続を用いたとしても、センサ信号のための必要な評価デバイス、並びに流体流を調節するため又は流体流を調整するための制御又は調整デバイスは、検査デバイス５内に直接組み入れられる。
【０１２６】
図２４に表わされた変形形態では、センサ９は、ファン１内に直接組み入れられる。センサ９は、例えば、ファン１のハウジング６に取り付けられるか、又は−図２４に示されるように−固定子ハウジング４に取り付けられてもよい。センサ９は、固定子ハウジング４の加圧側に取り付けられるか（図２４参照）、又は、固定子ハウジング４の吸込み側に取り付けられてもよい。当然のことながら、ここでは、センサ９が吸込み側及び加圧側の両方に設けられる実施例も、可能である。センサ９は、固定子ハウジング４内に配置された検査デバイス５に信号接続される。さらに、この変形形態では、センサ信号のための必要な評価デバイス、並びに流体流を調節するため又は流体流を調整するための制御又は調整デバイスは、検査デバイス５内に直接組み入れられる。特にこの変形形態では、ファン１は、追加の構成要素を伴わずにファン１がファン１によって生成される空気流を圧力又は流量のための予め決定可能な所望の値に調整することができるように、完全に統合されたセンサ９、具体的には流量センサ９又は圧力センサ９を備える。
【符号の説明】
【０１２７】
１  ファン
２  回転子
３  固定子
４  固定子ハウジング
５  検査デバイス
６  ハウジング
７  支柱
８  熱伝導要素
９  センサ
２１  インペラ
２２  磁気的有効コア
２３  ハブ
２４  羽根
３１  コイル・コア
３２  中心磁極片
３３  コイル、集中巻線
４１  第１のハウジング部分
４２  第２のハウジング部分
６１  吸込み側
６２  加圧側
６３  吸込み側フランジ
６４  加圧側フランジ
６５  取付け穴
７１  フィード・スルー
７２  ケーブル
８１  カップ
８２  バー
８３  プレート
８４  スリット
９１  信号線
９２  センサ・ケーブル
１００  管
１０１  第１の区間
１０２  第２の区間
２００  チャンバ
２２１  永久磁石
２２２  リフラックス
２２３  半径方向内側境界表面
２３１  入口領域
２４１  前縁
２４２  後縁
２４３  安定化リング
３００  論理ユニット
３１１  磁極シュー
４００  通信インターフェース
４１１  内部端面
４２１  環状領域
Ａ  軸方向
ＡＳ  固定子３の外側半径
ＢＭ  永久磁石２２１の最大厚さ
ＢＰ  磁極シュー３１１の開き角度
ＢＲ  磁気的有効コア２２の厚さ
ＢＳ  コイル・コア３１の幅
Ｄ１  第１のハウジング部分４１の外径
Ｄ２  第２のハウジング部分４２の外径
ＤＭ  磁気的有効コア２２の外径
Ｅ  距離
ＨＲ  磁気的有効コア２２の高さ
ＨＳ  コイル・コア３１の高さ
ＩＲ  磁気的有効コア２２の内側半径
ＭＰ  円柱セグメントの幾何学的中心
ＭＲ  磁気的有効コア２２の幾何学的中心
ＭＳ  固定子３又は中心磁極片３２の幾何学的中心
ＲＭ  幾何学的中心平面
Ｗ１  プレート８３の直径１
Ｗ２  熱伝導要素８の外径、カップ８１の外径
【図１】
2020204323.tif 000003
【図２】
2020204323.tif 000004
【図３】
2020204323.tif 000005
【図４】
2020204323.tif 000006
【図５】
2020204323.tif 000007
【図６】
2020204323.tif 000008
【図７】
2020204323.tif 000009
【図８】
2020204323.tif 000010
【図９】
2020204323.tif 000011
【図１０】
2020204323.tif 000012
【図１１】
2020204323.tif 000013
【図１２】
2020204323.tif 000014
【図１３】
2020204323.tif 000015
【図１４】
2020204323.tif 000016
【図１５】
2020204323.tif 000017
【図１６】
2020204323.tif 000018
【図１７】
2020204323.tif 000019
【図１８】
2020204323.tif 000020
【図１９】
2020204323.tif 000021
【図２０】
2020204323.tif 000022
【図２１】
2020204323.tif 000023
【図２２】
2020204323.tif 000024
【図２３】
2020204323.tif 000025
【図２４】
2020204323.tif 000026
【外国語明細書】
2020204323000001.pdf